(57)【要約】【課題】洗浄時にパレットの挿入孔と滑り止め材との間に水が溜まるのを防止し、洗浄後の使用時に載置物が濡れるのを未然に防止し得るパレットを提供する。【解決手段】パレットの少なくとも一面が荷物を載置するデッキ面２である。デッキ面２に、滑り止め材１２を挿入するための挿入孔１３を設け、挿入孔１３の内周面に、滑り止め材１２の挿入状態で滑り止め材１２と挿入孔１３との間に溜まる水を挿入孔１３の外部に排出可能な溝部４１を形成する。【選択図】図４
2018079959.tif 000002
【特許請求の範囲】
【請求項１】
パレットの少なくとも一面が荷物を載置するデッキ面であるパレットであって、
前記デッキ面には滑り止め材を挿入するための挿入孔が設けられており、前記挿入孔の内周面には、前記滑り止め材の挿入状態で前記滑り止め材と前記挿入孔との間に溜まる水を前記挿入孔の外部に排出可能な溝部が形成されていることを特徴とするパレット。
【請求項２】
前記溝部は、前記挿入孔のデッキ面載置側の開口とデッキ面フォーク挿入部側の開口との間に跨がって連続的に形成されていることを特徴とする請求項１記載のパレット。
【発明の詳細な説明】
【技術分野】
【０００１】
本発明は、各種の荷物をフォークリフトなどにより運搬するために用いられるパレットに関する。
【背景技術】
【０００２】
従来、この種のパレットとして、例えば特許文献１に記載されているように、合成樹脂製のパレットの上面部に挿入孔を設け、この挿入孔にゴム製の滑り止め材を挿入したものが知られている。滑り止め材は、パレットの上面部に載置した載置物の横滑りを防止する。また、パレットのフォーク挿入部に開口するように貫通形成された挿入孔に挿入された滑り止め材は、その上面部が載置物の横滑りを防止する以外に、フォーク挿入部に挿入されたフォークの上面が滑り止め材の下面部に当たってフォークに対するパレットの横滑りを防止するようになっている。なお、パレットとしては、片面のみが荷物を載置するデッキ面となる片面使用タイプのものと、両面がデッキ面となる両面使用タイプのものとがある。
【先行技術文献】
【特許文献】
【０００３】
【特許文献１】特許第３０１２５０７号公報（段落００１４、図１）
【発明の概要】
【発明が解決しようとする課題】
【０００４】
ところが、前述した従来のパレットでは、洗浄時、特に温水を用いて洗浄を行ったときに温水によってパレットの挿入孔が膨張し、パレットの挿入孔と滑り止め材との間に温水が浸入して溜まることがある。この水は、洗浄後も蒸発せずに残り、パレットの上面側であるデッキ面側に徐々に染み出ることで、載置物を濡らしてしまう虞がある。
【０００５】
本発明はかかる点に鑑みてなされたものであり、その課題は、洗浄時にパレットの挿入孔と滑り止め材との間に水が溜まるのを防止し、洗浄後の使用時に載置物が濡れるのを未然に防止し得るパレットを提供することにある。
【課題を解決するための手段】
【０００６】
前記の課題を解決するため、本発明は、パレットの少なくとも一面が荷物を載置するデッキ面であるパレットにおいて、前記デッキ面に、滑り止め材を挿入するための挿入孔を設け、前記挿入孔の内周面に、前記滑り止め材の挿入状態で前記滑り止め材と前記挿入孔との間に溜まる水を前記挿入孔の外部に排出可能な溝部を形成する構成にする。
【０００７】
この構成では、パレットの洗浄時にデッキ面の挿入孔と滑り止め材との間に水が浸入したときでも、その水は、挿入孔の内周面に形成した溝部を通して挿入孔の外部に排出されることになり、滑り止め材と挿入孔との間に溜まることはない。この結果、洗浄後の使用時に載置物が滑り止め材と挿入孔との間に溜まった水により濡れるのを未然に防止できることになる。
【０００８】
ここで、前記溝部は、前記挿入孔のデッキ面載置側の開口とデッキ面フォーク挿入部側の開口との間に跨がって連続的に形成することが好ましい。この場合、パレットの洗浄時にデッキ面の挿入孔と滑り止め材との間に水が浸入したとき、その水は、自重によって、挿入孔のデッキ面載置側の開口とデッキ面フォーク挿入部側の開口のうち、下側に位置する開口に臨む溝部の部位を通して挿入孔の外部に円滑かつ迅速に排出されることになり、滑り止め材と挿入孔との間に水が溜まるのを確実に防止することができる。
【発明の効果】
【０００９】
本発明のパレットによれば、洗浄時にデッキ面の挿入孔と滑り止め材との間に水が浸入したときでもその水は、挿入孔の内周面に形成した溝部を通して挿入孔の外部に排出され、滑り止め材と挿入孔との間に溜まることがないので、洗浄後の使用時に載置物が滑り止め材と挿入孔との間に溜まった水により濡れるのを未然に防止することができる。
【図面の簡単な説明】
【００１０】
【図１】図１は本発明の一実施形態に係るパレットの斜視図である。
【図２】図２は図１のＸ部の拡大図である。
【図３】図３は前記Ｘ部の平面図である。
【図４】図４は図３のＹ−Ｙ線における断面図である。
【図５】図５は図２に示す状態から滑り止め材を取り外した状態を示す分解斜視図である。
【発明を実施するための形態】
【００１１】
以下、本発明を実施するための形態である実施形態を図面に基づいて説明する。
【００１２】
図１は本発明の一実施形態に係るパレット１の全体構成を示す。パレット１は、その主体がＰＰやＰＥなどの合成樹脂からなるものであり、荷物を載置するデッキ面２と、フォーク挿入部３とを備える。
【００１３】
パレット１としては、四方差しのものと、二方差しのものとがあるが、本発明は、いずれのタイプのものでもよい。なお、図１では、フォーク挿入部３を２つ平行に備えた二方差しの例を示している。
【００１４】
また、パレット１は、全体を合成樹脂の一体成形により成形する一体成形型パレットと、２つのパレット半体１ａ，１ｂを別々に成形し、両パレット半体１ａ，１ｂを溶着一体化して成形する溶着型パレットとに大別されるが、本発明は、いずれのタイプのものでもよい。なお、図１では、溶着型パレットを例示している。
【００１５】
さらに、パレット１としては、両面がデッキ面２となった両面使用タイプのものと、片面のみがデッキ面２となった片面使用タイプのものとがあるが、本発明は、いずれのタイプのものでもよい。換言すれば、本発明は、パレット１の少なくとも一面が荷物を載置するデッキ面２であればよい。なお、以下の説明では、便宜的に、パレット１の上面のみがデッキ面２である片面使用タイプのものとして説明する。
【００１６】
パレット１のデッキ面２には、各フォーク挿入部３に対応した領域１１の複数箇所（図１では領域１１毎に４箇所計８箇所）にそれぞれ滑り止め材１２を挿入するための挿入孔１３（図４参照）が設けられている。挿入孔１３及び滑り止め材１２は、図２〜図５に拡大詳示している。
【００１７】
すなわち、挿入孔１３は、図２〜図５に示すように、デッキ面２を構成する一方のパレット半体１ａのフォーク挿入部３に対応した領域１１の中でリブ１４が十字状に交差する部位を上下方向に貫通して形成されている。また、挿入孔１３は、図４に示すように、デッキ面載置側の開口２１と、デッキ面載置側の段差部２２と、中間孔部２３と、デッキ面フォーク挿入部側の段差部２４と、デッキ面フォーク挿入部側の開口２５とを備える。
【００１８】
中間孔部２３は、デッキ面載置側の開口２１寄りに位置する第１中間孔部２３ａと、デッキ面フォーク挿入部側の開口２５寄りに位置する第２中間孔部２３ｂと、第１中間孔部２３ａと第２中間孔部２３ｂとの間に位置する第３中間孔部２３ｃとを有する。第１中間孔部２３ａの内径ｄ１及び第２中間孔部２３ｂの内径ｄ２は、いずれも中心線方向（上下方向）に一定であるが、第１中間孔部２３ａの内径ｄ１は、第２中間孔部２３ｂの内径ｄ２よりも大きい（ｄ１＞ｄ２）。第３中間孔部２３ｃの内径は、第１中間孔部２３ａに隣接する部位で第１中間孔部２３ａの内径ｄ１と一致し、第１中間孔部２３ａから離れるに従い次第に小さくなり、第２中間孔部２３ｂに隣接する部位では第２中間孔部２３ｂの内径ｄ２と一致する。
【００１９】
デッキ面載置側の開口２１は、平面視円形状であり、その内径ｄ３は、中間孔部２３（詳しくは第１中間孔部２３ａ）の内径ｄ１よりも大きい（ｄ３＞ｄ１）。この内径の差異により、デッキ面載置側の開口２１と中間孔部２３との間にデッキ面載置側の段差部２２が形成されている。
【００２０】
また、デッキ面フォーク挿入部側の開口２５も平面視円形状であり、その内径ｄ４は、中間孔部２３（詳しくは第２中間孔部２３ｂ）の内径ｄ２よりも大きい（ｄ４＞ｄ２）。この内径の差異により、デッキ面フォーク挿入部側の開口２５と中間孔部２３との間にデッキ面フォーク挿入部側の段差部２４が形成されている。
【００２１】
滑り止め材１２は、挿入孔１３に対し上方から挿入（圧入）して貫通状態に装着されている。滑り止め材１２は、中心線に沿う水抜き孔３１を有する円筒状のもので、ゴムからなる。
【００２２】
また、滑り止め材１２は、図４及び図５に示すように、上端部に上部フランジ３２を、下端部に下部フランジ３３を有する。そして、挿入孔１３に対する滑り止め材１２の挿入状態ひいては装着状態では、上部フランジ３２が挿入孔１３のデッキ面載置側の段差部２２に、下部フランジ３３が挿入孔１３のデッキ面フォーク挿入部側の段差部２４にそれぞれ接触することで、滑り止め材１２の挿入孔１３からの脱落を防止するようになっている。また、滑り止め材１２の上端部及び上部フランジ３２は、パレット半体１ａの上面（つまりデッキ面２）よりも所定寸法上方に突出しており、これにより、デッキ面２上に載置した載置物の横滑りを防止するようになっている。さらに、滑り止め材１２の下端部及び下部フランジ３３は、パレット半体１ａの下面（つまりフォーク挿入部３の上側内面）よりも所定寸法下方に突出しており、これにより、フォーク挿入部３に挿入されたフォークの上面が滑り止め材１２の下端部及び下部フランジ３３に当たってフォークに対するパレット１の横滑りを防止するようになっている。なお、滑り止め材１２の上部フランジ３２と下部フランジ３３との間の中間部分の外径は、挿入孔１３の中間孔部２３の内径よりも小さく設定されていて、挿入孔１３に対する滑り止め材１２の装着状態では、挿入孔１３と滑り止め材１２との間に空間部が形成され、これにより、挿入孔１３に対し滑り止め材１２を上方から挿入して装着する際の摩擦抵抗を小さくするようにしている。
【００２３】
さらに、挿入孔１３の内周面には、滑り止め材１２の挿入状態で滑り止め材１２と挿入孔１３との間に溜まる水を挿入孔１３の外部に排出可能な溝部４１が形成されている。溝部４１は、挿入孔１３の中心線を挟んで互いに対向しかつ一方向に延びるリブ１４に対応した２箇所にそれぞれ形成されている。特に、本実施形態では、図１及び図２から分かるように、溝部４１は、フォーク挿入部３の長手方向（延び方向）と直交する向きに形成されている。
【００２４】
溝部４１は、平面視半円形状のもので、挿入孔１３のデッキ面載置側の開口２１とデッキ面フォーク挿入部側の開口２５との間に跨がって連続的に形成されているが、溝部４１の深さは、一定ではない。つまり、溝部４１の深さは、挿入孔１３のデッキ面載置側の開口２１寄りの部位では挿入孔１３の中心線に沿って開口２１から離れるに従い次第に小さくなり、挿入孔１３のデッキ面フォーク挿入部側の開口２５に所定寸法以内に近づくと一定となる。
【００２５】
次に、パレット１の作用効果について説明するに、パレット１の洗浄時にデッキ面２の挿入孔１３と滑り止め材１２との間に水が浸入したときでも、その水は、挿入孔１３の内周面に形成した溝部４１を通して挿入孔１３の外部に排出されることになり、滑り止め材１２と挿入孔１３との間に溜まることはない。この結果、洗浄後の使用時にデッキ面２に載置された載置物が滑り止め材１２と挿入孔１３との間に溜まった水により濡れるのを未然に防止することができる。
【００２６】
特に、本実施形態の場合、溝部４１は、挿入孔１３のデッキ面載置側の開口２１とデッキ面フォーク挿入部側の開口２５との間に跨がって連続的に形成されている。このため、パレット１の洗浄時にデッキ面２の挿入孔１３と滑り止め材１２との間に水が浸入したとき、その水は、自重によって、挿入孔１３のデッキ面載置側の開口２１とデッキ面フォーク挿入部側の開口２５のうち、下側に位置する開口（図４ではデッキ面フォーク挿入部側の開口２５）に臨む溝部４１の部位を通して挿入孔１３の外部に円滑かつ迅速に排出されることになり、滑り止め材１２と挿入孔１３との間に水が溜まるのを確実に防止することができる。
【００２７】
その上、挿入孔１３の内周面に溝部４１を形成したことにより、挿入孔１３に滑り止め材１２を挿入するときの摩擦抵抗が小さくなるため、挿入がしやすくなるという効果をも奏する。
【００２８】
ここで、溝部４１は、本実施形態の如くフォーク挿入部３の長手方向と直交する向きに形成することが好ましい。この場合には、フォークの爪で滑り止め材１２が押された際に滑り止め材１２が溝部４１に入り込んで首切れなどの破損が生じるのを防止できる。
【００２９】
また、本実施形態の場合、挿入孔１３の中間孔部２３は、デッキ面載置側の開口２１寄りに位置する第１中間孔部２３ａと、デッキ面フォーク挿入部側の開口２５寄りに位置する第２中間孔部２３ｂと、第１中間孔部２３ａと第２中間孔部２３ｂとの間に位置する第３中間孔部２３ｃとを有する。第１中間孔部２３ａの内径ｄ１及び第２中間孔部２３ｂの内径ｄ２は、いずれも中心線方向（上下方向）に一定であるが、第１中間孔部２３ａの内径ｄ１は、第２中間孔部２３ｂの内径ｄ２よりも大きい（ｄ１＞ｄ２）。第３中間孔部２３ｃの内径は、第１中間孔部２３ａに隣接する部位で第１中間孔部２３ａの内径ｄ１と一致し、第１中間孔部２３ａから離れるに従い次第に小さくなり、第２中間孔部２３ｂに隣接する部位では第２中間孔部２３ｂの内径ｄ２と一致する。
【００３０】
このような挿入孔１３の中間孔部２３の構成において、さらに、第１中間孔部２３ａの内径ｄ１を滑り止め材１２の下部フランジ３３の外径よりも大きくすることで、挿入時に滑り止め材１２の位置決めと自立を行うことができる。また、第２中間孔部２３ｂにより、滑り止め材１２との面接触が十分に確保され、力が分散されるため、首切れなどの破損が生じるのを防止できる。
【００３１】
なお、本発明は前記実施形態に限定されるものではなく、その他種々の形態を包含するものである。例えば前記実施形態では、挿入孔１３の内周面の２箇所にそれぞれ溝部４１を形成したが、本発明は、挿入孔１３の内周面の１箇所のみに溝部４１を設けたり、挿入孔１３の内周面の２箇所以外の複数箇所にそれぞれ溝部４１を設けたりしてもよい。
【００３２】
また、前記実施形態では、挿入孔１３の内周面に溝部４１を形成するに当たり、溝部４１を、挿入孔１３のデッキ面載置側の開口２１とデッキ面フォーク挿入部側の開口２５との間に跨がって連続的に形成したが、本発明は、挿入孔１３のデッキ面載置側とデッキ面フォーク挿入部側とで溝部４１を、挿入孔１３の内周面の円周方向に例えば４５°ずれた位置に形成してもよい。この場合でも、溝部４１のデッキ面載置側とデッキ面フォーク挿入部側とが、挿入孔１３と滑り止め材１２との間の隙間を通して連通することになるため、前記実施形態の場合と同様の作用効果を奏することができる。
【００３３】
さらに、本発明は、片面使用のパレット１の場合、挿入孔１３の内周面のうち、デッキ面フォーク挿入部側のみに溝部を形成してもよい。この場合、パレット１の洗浄時にデッキ面２の挿入孔１３と滑り止め材１２との間に水が浸入したときでも、その水は、自重により溝部を通して挿入孔１３の外部に排出されることになり、滑り止め材１２と挿入孔１３との間に溜まることはない。
【００３４】
加えて、前記実施形態では、パレット１のデッキ面２を構成する一方のパレット半体１ａのフォーク挿入部３に対応した領域１１の中でリブ１４が十字状に交差する部位に、滑り止め材１２を挿入するための挿入孔１３を上下方向に貫通して設けたが、本発明は、これに限らず、パレット１のデッキ面２のフォーク挿入部３に対応した領域１１の中で、リブ１４が十字状に交差する部位以外の箇所に、滑り止め材１２を挿入するための挿入孔１３を上下方向に貫通して設けてもよい。
【００３５】
また、本発明は、パレット１のデッキ面２の中で、フォーク挿入部３に対応した領域１１以外の箇所に、滑り止め材１２を挿入するための挿入孔１３を設けてもよい。この場合には、挿入孔１３の内周面に、滑り止め材１２の挿入状態で滑り止め材１２と挿入孔１３との間に溜まる水を挿入孔１３の外部であるパレット下面側（反デッキ面側）に排出可能な溝部を形成すればよい。
【符号の説明】
【００３６】
１    パレット
１ａ，１ｂ    パレット半体
２    デッキ面
３    フォーク挿入部
１２    滑り止め材
１３    挿入孔
２１    デッキ面載置側の開口
２５    デッキ面フォーク挿入部側の開口
４１    溝部
【図１】
2018079959.tif 000003
【図２】
2018079959.tif 000004
【図３】
2018079959.tif 000005
【図４】
2018079959.tif 000006
【図５】
2018079959.tif 000007